(57)【特許請求の範囲】
【請求項１】
底板部と当該底板部に突設された円筒状の周壁部とに囲まれた空間に毒餌剤を収納する容器本体と、前記容器本体に着脱可能な蓋材とを備えた毒餌剤容器において、
前記底板部に、前記容器本体の前記空間を複数の収納部に分ける円筒状の仕切壁が前記周壁部と同心円状に突設され、
前記周壁部に、傾斜外壁または侵入口が設けられ、
前記蓋材に、前記周壁部及び仕切壁の先端を挟持することが可能な複数の円環挟持部が設けられ、
前記蓋材は、前記容器本体に螺着可能であり、回動させることによって前記周壁部及び仕切壁の先端が前記円環挟持部により挟持された状態で前記蓋材が前記容器本体に螺着しているときには、前記収納部の各々が密閉され、前記蓋材を回動させることによって前記周壁部及び仕切壁の先端が前記円環挟持部から外れた状態で前記蓋材が前記容器本体に螺着しているときには、前記収納部の密閉が解除され、開封の度合いを調節できることを特徴とする毒餌剤容器。
【発明の詳細な説明】
【０００１】
【発明の属する技術分野】
本発明は、害虫駆除用の毒餌剤を収納する毒餌剤容器に関し、詳しくは、他種類の毒餌剤を別々に収納する複数の収納部を備えた毒餌剤容器に関する。
【０００２】
【従来の技術】
従来から、蟻やゴキブリ等の害虫を駆除するための様々な方法が提案されている。例えば、殺虫剤を噴霧する方法や、害虫に対する誘引物質を含む捕獲器を使用する方法が知られている。また、食毒剤を害虫が好む餌に混ぜたもの、所謂、毒餌剤を収納した容器を用いる方法が提案されており、この方法は、残効性および害虫の増殖防止性に優れている。
【０００３】
毒餌剤の種類によっては、空気に触れることで殺虫効果や誘引効果が低下するものや、顆粒状や粉体状や液状等の流動性を有するものであって容器からこぼれやすいものがあり、このような毒餌剤は容器内に密封保存される必要がある。この場合用いられる毒餌剤容器としては、例えば、底板と周壁とから構成された容器本体内の空間を収納部として毒餌剤を収納し、上部開口をイージーピール材などのシール部材により密封したもの等がある。通常、シール部材はヒートシール等により周壁の上面に溶着される。
このような毒餌剤容器は、使用に際して、上部開口を密封するシール部材を剥がして適当な場所に放置される。
【０００４】
また、容器本体内の空間を仕切壁により分割して複数の収納部を形成し、各収納部に別々の毒餌剤を収納する毒餌剤容器も提案されている。このような毒餌剤容器によれば、容器内に多種類の毒餌剤を収納することができるので、蟻やゴキブリやゲジゲジなどの害虫が毒餌剤を食べ飽きることがない。したがって、長期にわたって殺虫効果および誘引効果が持続される。
また、害虫の属・種が異なると、それぞれの害虫の喫食性が異なるが、このような毒餌剤容器によれば、各収納部に異なる種類の毒餌剤を収納することもできるので、様々な害虫に対応することができる。
【０００５】
【発明が解決しようとする課題】
シール部材により毒餌剤容器の上部開口を密封した場合、シール部材を剥離する際に、特に剥がし始める時と剥がし取る時に、比較的広い面積にわたって周壁の上面に密着しているシール部材を剥がさなければならない場合があった。これらの場合にはシール部材が剥がれにくく、強い力でシール部材を引っ張る必要があったため、特に、容器を手で保持してシール部材を剥がそうとした場合、手がぶれて毒餌剤を容器外に飛散させてしまうことがあり、使い勝手が悪かった。
また、容器本体内の空間を仕切壁によって複数の収納部に分けた場合、シール部材は仕切壁の上面にも溶着されるため密着面積が増え、シール部材を一層剥がしにくくなる傾向があった。
【０００６】
そこで、シール部材の代わりにキャップなどの蓋材により毒餌剤容器の上部開口を密封することが考えられたが、蓋材ではシール部材ほどの満足な密封性が得られなかった。特に、容器本体内に複数の収納部が形成されて各収納部に異なる種類の毒餌剤が収納された場合、収納部間の密封性を確保することが難しく、毒餌剤が混ざってしまうことがあった。
【０００７】
例えば、水分の多いゼリー状の毒餌剤と、水分の少ない顆粒状の毒餌剤を各収納部に入れた際には、収納部間の密封性が悪いと双方の毒餌剤の品質が著しく低下するので、特に高い密封性が要求されていた。
【０００８】
本発明は前記課題に鑑みてなされたものであって、使用時には容易に開封することができ、未使用時には、複数の収納部間の密封性を確保することができる毒餌剤容器を提供することを目的とする。
【０００９】
【課題を解決するための手段】
本発明に係わる前記目的は、底板部と当該底板部に突設された円筒状の周壁部とに囲まれた空間に毒餌剤を収納する容器本体と、前記容器本体に着脱可能な蓋材とを備えた毒餌剤容器において、前記底板部に、前記容器本体の前記空間を複数の収納部に分ける円筒状の仕切壁が前記周壁部と同心円状に突設され、前記周壁部に、傾斜外壁または侵入口が設けられ、前記蓋材に、前記周壁部及び仕切壁の先端を挟持することが可能な複数の円環挟持部が設けられ、前記蓋材は、前記容器本体に螺着可能であり、回動させることによって前記周壁部及び仕切壁の先端が前記円環挟持部により挟持された状態で前記蓋材が前記容器本体に螺着しているときには、前記収納部の各々が密閉され、前記蓋材を回動させることによって前記周壁部及び仕切壁の先端が前記円環挟持部から外れた状態で前記蓋材が前記容器本体に螺着しているときには、前記収納部の密閉が解除され、開封の度合いを調節できることを特徴とする毒餌剤容器によって解決することができる。
【００１０】
容器本体に螺着可能である蓋材は、使用時に、毒餌剤をこぼすことなく安全に開封することができるとともに、開封の度合いを自在に調節することができる。このように構成された毒餌剤容器は、使用時には容易に開封することができ、未使用時には、複数の収納部間、および収納部と外部との間の密封性を確保することができるので、使い勝手が良好である。
【００１１】
【発明の実施の形態】
以下、本発明の実施形態を図１乃至図７に基づいて詳しく説明する。図１は、第１実施形態を示す毒餌剤容器の分解斜視図である。同図に示すように、毒餌剤容器１は、容器本体２と蓋材３とを備えている。容器本体２は、底板４に突設された円筒状の周壁部５と、周壁部５と底板４とに囲まれた空間を分割して２個の同心円状の毒餌剤収納部６ａ，６ｂを形成する円筒状の仕切壁１０とを有している。各収納部６ａ，６ｂには異なる種類の図示しない毒餌剤が収納される。
【００１２】
周壁部５は、底板４に直角方向に立設された垂直外壁７と、害虫が登れるように緩やかに傾斜された傾斜外壁８とを有し、垂直外壁７にはねじを切ってある。一方、蓋材３は、角を丸めた六角形状の天板１５から垂下された筒部１６を有している。筒部１６の図示しない内壁面にもねじが切ってあり、容器本体２の垂直外壁７に当該筒部１６を螺着できるようになっている。そして、天板１５の内壁面には、密封部材である円環挟持部１１，１２が設けられている。
【００１３】
図１において蓋材３を容器本体２に螺着した際のＸ−Ｘ断面図を図２に示す。図２に示すように周壁部５は、底板４上に直角方向に立設され周壁部５の内周面を形成する立壁９を備え、立壁９の上端は垂直外壁７の上端および傾斜外壁８の上端より図中上方に突出している。
一方、仕切壁１０は底板４上に直角方向に立設されており、立壁９と同じ高さに形成されている。
【００１４】
そして蓋材３の天板１５には、仕切壁１０の上端と、立壁９の上端とをそれぞれ挟持する同心円状の円環挟持部１１，１２が形成されている。この円環挟持部１１，１２により、図２に示すように蓋材３を閉めた状態においては、収納部６ｂと外部との間、および収納部６ａ，６ｂの間の気密性が確保される。
【００１５】
図３（Ａ）に、図２におけるＹ部の拡大図を示す。図３（Ｂ）は、従来の毒餌剤収納容器の対応部分を示す。これらの図から明らかなように、従来は壁１１０の上面のみが蓋材の天板１１５に当接していたのに対して、本実施形態によれば、仕切壁１０の上端近傍の広い範囲が円環挟持部１１に面接触している。従って、従来の毒餌剤収納容器では、壁１１０の高さが低い等の僅かな寸法誤差によって容易に密封性が失われていたが、本実施形態によれば多少の寸法誤差があっても密封性が確保される。
【００１６】
そして、使用時には図４に示すように、蓋剤３を回転して容器本体２から離していくことで、収納部６ｂと外部との間、および収納部６ａ，６ｂの間を連通させることができる。この状態において、蟻などの害虫は緩やかに傾斜された傾斜外壁８を登って収納部６ａ，６ｂ内の図示しない毒餌剤を食べたり、毒餌剤を巣に持ちかえったりすることができる。
【００１７】
以上のような構成の毒餌剤収納容器１によれば、蓋材３の天板１５に、仕切壁１０の上端と立壁９の上端とをそれぞれ挟持する同心円状の円環挟持部１１，１２が形成されているので、未使用時には円環挟持部１１，１２により、収納部６ｂと外部との間、および収納部６ａ，６ｂの間の気密性が確保される。そして使用時には容器本体２に螺着された蓋材３を回転して容器本体２から離していくことにより、収納部６ｂと外部との間、および収納部６ａ，６ｂの間を連通させ、開封することができる。このときの開封の度合いは、容器本体２と蓋材３との螺合状態を変えることにより自在に調節することができる。
【００１８】
また、蓋材３の天板１５が、角を丸めた六角形状に形成されているので、蓋材３の回転を行い易く、容易に開封を行うことができる。
【００１９】
図５に、本発明の第２実施形態を示す。なお、本第２実施形態は、前記第１実施形態の図２におけるＹ部を変更したものであって、他の部分は第１実施形態と同じである。図５に示すように本第２実施形態では、蓋材３の天板１５の内壁面に、密封部材としてのパッキン２０を装着している。パッキン２０の材質としては、弾性を有する樹脂やゴム等を採用することができる。パッキン２０は、図２に示した天板１５の内壁面の全域にわたって装着されてもよく、または、仕切壁１０および立壁９の上端近傍のみに装着されてもよい。
【００２０】
このように、弾性を有するパッキン２０を用いることで、容器本体の仕切壁１０などに多少の寸法誤差があっても密封性が確保される。また、密封部材としてパッキンを用いることで、密封部材自身の寸法誤差が問題になることがない。
【００２１】
次に図６に、本発明の第３実施形態を示す。なお、既に説明した部材等については、同一符号又は相当符号を付すことにより、説明を簡略化或いは省略する。
毒餌剤容器３１においては、底板４に突設された仕切壁４０の、底板４からの高さＨの位置に、周方向に間隔を隔てて複数の侵入口５０が設けられている。高さＨは、害虫が登ることができる程度の高さに設定する。
【００２２】
蓋材３３の天板１５には、仕切壁４０の上端と、立壁９の上端とをそれぞれ挟持する同心円状の円環挟持部４１，４２が設けられている。仕切壁４０の上端を挟持する円環挟持部４１は、外周側支持片４１ａと内周側支持片４１ｂとからなっている。
収納部６ａには、例えばゼリー状の毒餌剤を入れる。そして収納部６ｂには他の毒餌剤を、当該毒餌剤の上面が高さＨを超えない程度に入れる。
【００２３】
毒餌剤容器３１において、未使用時には、侵入口５０は内側支持片４１ｂによって遮蔽されている。そして、使用時には蓋材３３を回転して容器本体３２から離していくことで、収納部６ｂと外部との間、および収納部６ａ、６ｂの間を連通させるとともに、内周側支持片４１ｂをずらして侵入口５０を開放する。この状態において、傾斜壁８を登って収納部６ｂに侵入した害虫は、仕切壁４０の上端まで登ることなく、侵入口５０を通って容易に収納部６ａに侵入することができる。
【００２４】
本第３実施形態によれば、侵入口５０を備えているので、害虫を収納部６ａに導き易い。したがって、良好な殺虫効果を発揮することができる。
【００２５】
次に図７に、本発明の第４実施形態を示す。毒餌剤容器６１においても、底板４に突設された仕切壁４０には侵入口５０が設けられている。そして、底板４に突設された周壁部としての立壁６９にも、侵入口８０が設けられている。
仕切壁７０の上端を挟持する円環挟持部７１は、外周側支持片７１ａと内周側支持片７１ｂとからなっている。また、立壁６９の上端を密封する円環挟持部７２も、外周側支持片７２ａと内周側支持片７２ｂとからなっている。外周側支持片７２ａは、蓋材６３の筒部としての役割も兼用するもので、当該支持片７２ａの内壁には、立壁６９に螺合するねじが切られている。
【００２６】
蓋材６３を閉じた状態において、天板１５の周縁部は立壁６９の外方に突出して、ひさしの役割を果たす。
収納部６ａには、例えばゼリー状の毒餌剤を入れる。そして収納部６ｂには他の毒餌剤を、当該毒餌剤の上面が高さＨを超えない程度に入れる。
このような毒餌剤容器６１においては、使用時に蓋材３３を回転して容器本体３２から離していくことで、立壁６９の上端を密封する円環挟持部７２の外周側支持片７２ａをずらして侵入口８０を開放することができる。
【００２７】
本第４実施形態によれば、傾斜壁が不要となるため、収納部６ａ，６ｂの収納容積を大きくすることができる。
【００２８】
【発明の効果】
以上説明したように、本発明の毒餌剤容器は、底板部と当該底板部に突設された円筒状の周壁部とに囲まれた空間に毒餌剤を収納する容器本体と、容器本体に着脱可能な蓋材とを備え、底板部に、容器本体の空間を複数の収納部に分ける円筒状の仕切壁が周壁部と同心円状に突設され、周壁部に、傾斜外壁または侵入口が設けられ、蓋材に、周壁部及び仕切壁の先端を挟持することが可能な複数の円環挟持部が設けられ、蓋材は、容器本体に螺着可能であり、回動させることによって周壁部及び仕切壁の先端が円環挟持部により挟持された状態で蓋材が容器本体に螺着しているときには、収納部の各々が密閉され、前記蓋材を回動させることによって周壁部及び仕切壁の先端が円環挟持部から外れた状態で蓋材が容器本体に螺着しているときには、収納部の密閉が解除され、開封の度合いを調節できるように構成されている。
従って、本発明によれば、使用時には容易に開封することが可能で、未使用時には、複数の収納部間の密封が確保される、使い勝手が良好な毒餌剤容器を提供することができる。
【図面の簡単な説明】
【図１】本発明の第１実施形態を示す分解斜視図である。
【図２】図１におけるＸ−Ｘ断面図である。
【図３】図２におけるＹ部の拡大図ある。
【図４】第１実施形態の作用を示す図である。
【図５】本発明の第２実施形態を示す図である。
【図６】本発明の第３実施形態を示す図である。
【図７】本発明の第４実施形態を示す図である。
【符号の説明】
１，３１，６１  毒餌剤容器
２，３２，６２  容器本体
３，３３，６３  蓋材
４  底板（底板部）
５  周壁部
６ａ，６ｂ  毒餌剤収納部（収納部）
７  垂直外壁
８  傾斜外壁
９，６９  立壁
１０，５０  仕切壁
１１，１２，４１，４２，７１，７２  円環挟持部（密封部材）
１５  天板
１６  筒部
２０  パッキン（密封部材）
５０，８０  侵入口
【図１】
0003755790.tif 000002
【図２】
0003755790.tif 000003
【図３】
0003755790.tif 000004
【図４】
0003755790.tif 000005
【図５】
0003755790.tif 000006
【図６】
0003755790.tif 000007
【図７】
0003755790.tif 000008